(57)【特許請求の範囲】
【請求項１】
光源と、
前記光源から射出された光を一方の端部から導いて原稿ガラスに載置された原稿に向けて他方の端部にある先端部から照射する導光部材と、
前記原稿から第１方向に向かう光を入射部で受け入れ、前記入射部の第１方向に配置された反射面によって前記第１方向に交差する第２方向へ反射するとともに、前記反射面で反射された光を前記反射面の前記第２方向に配置された射出部によって前記第２方向に向けて収束させて、前記射出部の前記第２方向に前記原稿の正立等倍像を結像する結像光学系と、
前記結像光学系の前記射出部の前記第２方向に配置されて、前記結像光学系が結像した前記正立等倍像を検出する光センサーと
前記原稿ガラスと、前記結像光学系の前記入射部と、の間に設けられ、前記入射部に対するアパーチャーとして機能する入射側アパーチャーと、
前記結像光学系の前記射出部と、前記光センサーと、の間に設けられ、前記光センサーに対するアパーチャーとして機能する射出側アパーチャーと、
前記光源および前記導光部材が収容される第１収容空間と、前記入射側アパーチャー、前記結像光学系、前記射出側アパーチャー、および前記光センサーが収容される第２収容空間と、を有するフレームと、
前記フレームに設けられ、前記第１収容空間から前記第２収容空間へ直接向かう光を遮るセパレーターと、
を備え、
前記導光部材は、前記第１方向において前記射出部の一部と重なるように前記セパレーターの前記原稿側に配置され、
前記導光部材の前記先端部は、前記セパレーターに設けられて前記先端部の外形形状に沿うように前記第１方向に対して傾斜した傾斜平面を有する支持部によって支持され、
前記光源は、前記導光部材の前記一方の端部の前記第２方向に配置され、
前記光センサーおよび前記光源は、前記結像光学系および前記導光部材の前記第２方向に配置された同一の基板に搭載され、
前記入射側アパーチャーおよび前記射出側アパーチャーは、前記結像光学系から離間した状態で配置され、
前記結像光学系は、前記第１方向に延びる前記入射部、前記第２方向に延びる前記射出部、および前記入射部と前記射出部とを連続的に接続する接続部を透明媒体で一体的に形成した構成を有するとともに、前記入射部から前記射出部に向かう前記接続部において、前記第１方向に沿う方向から前記第２方向に沿う方向へ徐々に沿う方向が変化するように湾曲した湾曲形状を有し、
前記反射面は、前記接続部における前記湾曲形状の外周面に設けられた反射膜によって構成されていることを特徴とする画像読取装置。
【請求項２】
前記入射部は、前記入射側アパーチャーに対向する面に入射レンズを有して、前記入射レンズにより前記原稿から前記第１方向に向かう光を前記反射面に導き、
前記射出部は、前記射出側アパーチャーに対向する面に射出レンズを有して、前記射出レンズにより、前記反射面で反射された光を前記第２方向に向けて収束させる請求項１に記載の画像読取装置。
【発明の詳細な説明】
【技術分野】
【０００１】
この発明は、光源からの光を導光部材により導いて物体に照射するとともに物体からの光を検出することで、物体の画像を読み取る画像読取装置に関するものである。
【背景技術】
【０００２】
イメージスキャナー、ファクシミリ、複写機、金融端末装置等では、コンタクトイメージセンサー（Contact Image Sensor）モジュール（以下、「ＣＩＳモジュール」と略する）が画像読取装置として用いられている。このＣＩＳモジュールは、読取対象物に光を照射するとともに、このときの反射光を光学センサーで検出することで、読取対象物の画像を読み取る。また、読取対象物からの反射光を光学センサーに適切に導くために、正立等倍の結像倍率を有する結像光学系を用いることが一般的である。つまり、この結像光学系は、読取対象物で反射された光を正立等倍で結像して、読取対象物の正立等倍像を光学センサーに向けて結像するものである。そして、光学センサーは、結像光学系によって結像された正立等倍像を検出することで、読取対象物の画像を読み取ることができる。
【０００３】
ところで、特許文献１では、ＣＩＳモジュールの小型化を目的として、ルーフプリズムで光を反射して、光軸の向きを変えた（光軸を折り曲げた）結像光学系が記載されている。この結像光学系では、読取対象物に対向して配置された物体側レンズと、当該物体側レンズと協働して読取対象物の像を結像面に結ぶ結像側レンズとが設けられている。そして、物体側レンズから結像側レンズへ向かう光路中にルーフプリズムが配置されている。したがって、読取対象物で反射されて物体側レンズを透過した光はルーフプリズムレンズで反射されて、その進行方向を変えて結像側レンズに向かう。このように、反射面（ルーフプリズム）によって光の進行方向を変えることで、ＣＩＳモジュールの小型化を図ることができる。
【先行技術文献】
【特許文献】
【０００４】
【特許文献１】特開２０００−０６６１３４号公報
【発明の概要】
【発明が解決しようとする課題】
【０００５】
ところで、画像読取装置は、物体に対して光を照射する照明手段を必要とする。特許文献１では、このような照明手段として照明光源が設けられている。ただし、光源で発生した光を物体に適切に照射するためには、特許文献１で示されるような照明光源以外に、光源で発生した光を導いて物体に照射するライトガイドを併せ備えることが好適となる。しかしながら、光源の他にライトガイドを別途備えることで、画像読取装置の小型化が困難になる場合があった。
【０００６】
また、次のような理由によっても、画像読取装置の小型化が困難になる場合があった。つまり、上述のように光センサーや光源を備えた画像読取装置においては、これら光センサーや光源を搭載するための基板を設ける必要がある。しかしながら、光センサーおよび光源のそれぞれに対して基板を設けるとなると、やはり、画像読取装置の小型化が困難になる場合があった。
【０００７】
この発明は、上記課題に鑑みてなされたものであり、光源からの光を導光部材により物体に導光するとともに、物体からの光を光センサーで読み取る画像読取装置の小型化を可能とする技術の提供を目的とする。
【課題を解決するための手段】
【０００８】
この発明にかかる画像読取装置は、上記目的を達成するために、光源と、光源から射出された光を導いて物体に照射する導光部材と、物体から第１方向に向かう光を物体の第１方向に配置された反射面によって第１方向に交差する第２方向へ反射するとともに、反射面で反射された光を反射面の第２方向に配置された射出部によって第２方向に向けて収束させて、射出部の第２方向に物体の正立等倍像を結像する結像光学系と、結像光学系の射出部の第２方向に配置されて、結像光学系が結像した正立等倍像を検出する光センサーとを備え、導光部材は、第１方向において射出部の物体側に配置され、光源は、導光部材の第２方向に配置され、光センサーおよび光源は、結像光学系および導光部材の第２方向に配置された同一の基板に搭載されていることを特徴としている。
【０００９】
このように構成された発明（画像読取装置）では、物体から第１方向に向かう光を物体の第１方向に配置された反射面が第１方向に交差する第２方向へ反射する。つまり、物体の第１方向に配置された反射面が、物体からの光の向きを第１方向から第２方向へと変えている。また、反射面の第２方向には射出部が配置されており、この射出部が反射面で反射された光を第２方向に向けて収束する。このように物体から反射面まで第１方向に進行した光を射出部により第２方向に向けて収束する構成では、射出部の物体側にスペースを作ることができる。そこで、この発明では、光源からの光を物体に導光する導光部材を、このスペースに配置している。したがって、光源の他に導光部材を備えているにも拘わらず、画像読取装置の小型化を図ることが可能となっている。
【００１０】
このように、結像光学系の射出部の物体側に空いたスペースに導光部材が配置されており、言わば、結像光学系の射出部と導光部材が第１方向に並んで配置されている。さらに、この発明では、このような配置が有する利点を次のよう活かして、画像読取装置の小型化が図られている。つまり、結像光学系は光センサーに向けて正立等倍像を結像するものであり、導光部材は光源が射出した光を導くものである。したがって、結像光学系および導光部材それぞれに対しては、光センサーや光源を配置する必要がある。これに対して、結像光学系および導光部材が第１方向に並んで配置された構成では、結像光学系および導光部材の第２方向に光センサーおよび光源の両方をまとめて配置することができる。そこで、この発明では、光センサーおよび導光部材を、結像光学系および導光部材の第２方向に配置している。しかも、結像光学系および導光部材の第２方向には基板が配置されており、光センサーおよび光源はこの同一の基板に搭載されている。その結果、画像読取装置の小型化を図ることが可能となっている。
【００１１】
なお、結像光学系は、反射面の物体側に配置された入射部によって、物体から第１方向に向かう光を反射面に導くものであっても良い。このような構成では、物体からの光を反射面に適切に導くことができ、光の利用効率の向上を図ることが可能となる等の利点がある。
【００１２】
この際、より具体的には、入射部は、物体に対向する面に入射レンズを有して、入射レンズにより物体から第１方向に向かう光を反射面に導き、射出部は、光センサーに対向する面に射出レンズを有して、射出レンズにより、反射面で反射された光を第２方向に向けて収束させるように構成しても良い。
【００１３】
さらには、結像光学系は、第１方向に延びる入射部、第２方向に延びる射出部、および入射部と射出部とを接続する接続部を透明媒体で一体的に形成した構成を有するとともに、入射部から射出部に向かう接続部において第１方向から第２方向に曲がった形状を有し、反射面は、第１方向から第２方向に曲がる接続部の外周面に設けられているように構成しても良い。このような構成では、入射部の入射レンズ、接続部の反射面および射出部の射出レンズを透明媒体で一体的に構成されており、これら入射レンズ、反射面および射出レンズの間に空気が介在しない。したがって、空気との界面で光が散乱されることがなく、光の利用効率の向上を図ることが可能となる等の利点がある。
【００１４】
あるいは、射出部は、第２方向に並ぶ複数のレンズで構成されており、結像光学素子は、複数のレンズにより反射面で反射された光を収束させて、正立等倍像を結像するように構成しても良い。
【００１５】
また、射出部は、屈折率分布型レンズで構成されており、結像光学素子は、屈折率分布型レンズにより反射面で反射された光を収束させて、正立等倍像を結像するように構成しても良い。
【００１６】
ちなみに、第２方向は、第１方向に直交する方向とすることができる。
【図面の簡単な説明】
【００１７】
【図１】本発明にかかる画像読取装置の一実施形態の概略構成示す部分断面斜視図。
【図２】レンズアレイ等を示す斜視図。
【図３】第１レンズ、反射膜および第２反射膜からなる結像光学系の光線図。
【図４】結像光学系の変形例を示す模式図。
【図５】結像光学系の別の変形例を示す模式図。
【発明を実施するための形態】
【００１８】
第１実施形態
図１は、本発明にかかる画像読取装置の一実施形態であるＣＩＳモジュールの概略構成を示す部分断面斜視図である。図２は、入射側アパーチャー部材、レンズアレイおよび射出側アパーチャー部材を示す斜視図である。これら図１、図２および以下で説明する図では、各部材の位置関係を示すために、ＸＹＺ直交座標を適宜示すものとする。また、座標軸の矢印側を正側とするとともに座標軸の矢印反対側を負側とする。さらに、以下の説明では、Ｚ方向の負側を上側と、Ｚ方向の正側を下側と、Ｙ方向の負側を左側と、Ｙ方向の正側を右側と、Ｘ方向の負側を前側と、Ｘ方向の正側を後側として適宜取り扱う。
【００１９】
このＣＩＳモジュール１は、原稿ガラスＧＬ上に載置された原稿ＯＢを読取対象物として原稿ＯＢに印刷された画像を読み取る装置であり、原稿ガラスＧＬの直下に配置されている。ＣＩＳモジュール１は、Ｘ方向における最大読取範囲より長く延びる略直方体状のフレーム２を有しており、同フレーム２内に照明部３、入射側アパーチャー部材４、レンズアレイ５、射出側アパーチャー部材６、光センサー７およびプリント回路基板８が配置されている。
【００２０】
このフレーム２内には、原稿ＯＢに照明を照らす照明部３を収容する第１収容空間ＳＰ１と、原稿ＯＢの画像を読み取るための各機能部４、５、６，７、８を収容する第２収容空間ＳＰ2とがセパレーター２１によって区分けされている。第１収容空間ＳＰ1は、フレーム２内の上方の位置に設けられている。一方、第２収容空間ＳＰ2は、ＹＺ平面を含む断面(以下「副走査断面」という)において、第１収容空間ＳＰ1に対して、左側から下方に潜り込むようにして設けられている。より具体的には、第２収容空間ＳＰ2は、第１収容空間ＳＰ1の左側でＺ方向（上下方向）に延びる垂直空間ＳＰ2aと、垂直空間ＳＰ2aの下端からＹ方向（左右方向）に延びる左右空間ＳＰ2bとで構成されている。こうして、垂直空間ＳＰ2aから直角に湾曲して左右空間ＳＰ2bに到る第２収容空間ＳＰ2が形成される。
【００２１】
照明部３は、第１収容空間ＳＰ1の内部に収容されたライトガイド３１および光源３２で構成されている。光源３２は、ライトガイド３１のＹ方向（右方向）に配置されたＬＥＤ(Light Emitting Diode)であり、Ｙ方向の負側（左方向）に向けて照明光を射出する。光源３２から射出された照明光は、不図示の部材によりライトガイド３１の一方端面（Ｘ方向負側の端面）にまで導かれて、この一方端面からライトガイド３１の内部に入射する。このライトガイド３１は、図１に示すように、セパレーター２１の上面で最大読取範囲とほぼ同じ長さだけＸ方向に延設されている。そして、照明光は一方端面から入射した後に、ライトガイド３１の内部をＸ方向に伝播しながら、ライトガイド３１の各部で部分的に先端部（光射出面）から射出される（図１の矢印参照）。ライトガイド３１（の先端）から左斜め上方の照射位置ＬＰに向けて射出された光は、原稿ガラスＧＬ上の原稿ＯＢに照射される。こうして、Ｘ方向に延びる帯状の照明光が原稿ＯＢに照射され、原稿ＯＢで反射される。
【００２２】
ライトガイド３１が原稿ＯＢに照明光を照射する照射位置ＬＰの直下には、上記した上部垂直空間ＳＰ2aが設けられており、その上端部に入射側アパーチャー部材４が配置されている。この入射側アパーチャー部材４は最大読取範囲とほぼ同じ長さだけＸ方向に延設されている。この入射側アパーチャー部材４には、複数の貫通孔４１がＸ方向に所定ピッチで一列に並べられており、それぞれレンズアレイ５に設けられる複数の第１レンズＬＳ1に対する入射側アパーチャーとして機能する。
【００２３】
レンズアレイ５は、最大読取範囲とほぼ同じ長さだけＸ方向に延設されており、レンズアレイ５全体がすっぽりと第２収容空間ＳＰ2に挿入可能となっている。このレンズアレイ５は、原稿ＯＢ（の照射位置ＬＰ）に対向して上側に凸の第１レンズＬＳ1（入射側レンズ）と、第１レンズＬＳ1の下方かつ右側で光センサー７に対向する右側に凸の第２レンズＬＳ2（射出側レンズ）と、これら第１・第２レンズＬＳ1、ＬＳ2を連結する導光部５１とで構成されている。
【００２４】
副走査断面において、導光部５１は、Ｚ方向に延びる入射部５１aと、入射部５１aの下端からＹ方向に湾曲した湾曲部５１bと、湾曲部５１bの右端からＹ方向に延びる射出部５１cとで構成されている。このように、導光部５１は入射部５１aから射出部５１cに到る湾曲部５１bにおいて、Ｘ方向からＹ方向に直角に湾曲している。導光部５１の入射部５１aの上面には、入射側アパーチャー部材４の複数の貫通孔４１に一対一で対応して、複数の第１レンズＬＳ1がＸ方向に所定ピッチで一列に並んでいる。また、導光部５１の射出部５１cの右端面には、複数の第１レンズＬＳ1に一対一で対応して、複数の第２レンズＬＳ2がＸ方向に所定ピッチで一列に並んでいる。そして、第１レンズＬＳ1に入射した照明光は、導光部５１により第２レンズＬＳ2にまで導かれる。
【００２５】
また、導光部５１に対しては、第１レンズＬＳ1からの入射光を第２レンズＬＳ2に導くために、反射膜５１１が形成されている。反射膜５１１は、導光部５１の入射部５１aから射出部５１cにかけて曲がる湾曲部５１bの外周面に蒸着された金属膜であり、第１レンズＬＳ1からＺ方向に入射した照明光を、Ｙ方向に反射する。こうして、照明光の照射位置ＬＰで原稿ＯＢから反射された光は、Ｚ方向に進んで第１レンズＬＳ1に入射する。
【００２６】
このように構成されたレンズアレイ５は、照明光の照射位置ＬＰで原稿ＯＢから反射された光を、Ｙ方向に向けて結像する（図３）。図３は、第１レンズ、反射膜および第２反射膜からなる結像光学系の光線図である。図３に示すように、原稿ＯＢで反射されてＸ方向に向かうは、第１レンズＬＳ1によって反射膜５１１に導かれる。このように、第１レンズＬＳ1によって、原稿ＯＢからＺ方向に向かう光を反射膜５１１に適切に導くことができ、光の利用効率の向上を図ることが可能となる。そして、原稿ＯＢから反射膜５１１にまで導かれた光は、この反射膜５１１によりＹ方向に向けて反射された後に、第２レンズＬＳ2によってＹ方向に向けて収束される。こうして、第２レンズＬＳ2のＹ方向にある光センサー７のセンサー面に原稿ＯＢの正立等倍像が結像される。
【００２７】
ちなみに、複数の第１レンズＬＳ1、導光部５１（５１a、５１b、５１c）および複数の第２レンズＬＳ2は、照明光に対して光透過性を有する樹脂やガラスなどの透明媒体によって一体的に形成されている。したがって、第１レンズＬＳ1に入射した照明光は、第１レンズＬＳ1から反射膜５１１を経由して第２レンズＬＳ2に到るまで、透明媒体の内部を進行する。つまり、これら第１レンズＬＳ1、反射膜５１１および第２レンズＬＳ2の間に空気が介在せず、したがって、空気との界面で光が散乱されることがなく、光の利用効率の向上を図ることが可能となっている。なお、レンズアレイ５を一体的に形成するにあたっては、各部毎（例えば、第１レンズＬＳ1、導光部５１、第２レンズＬＳ2）をそれぞれ別体で形成した後にこれらを接着して一体化しても良いし、各部を別体で形成することなくレンズアレイ５全体を一体的に形成しても良い。
【００２８】
このように構成されたレンズアレイ５が、第２収容空間ＳＰ2の垂直空間ＳＰ2aの途中から左右空間ＳＰ2bの途中にまで配置されている。一方、左右空間ＳＰ2bでは、レンズアレイ５の射出部５１cの右側で射出側アパーチャー部材６と光センサー７とがこの順番でＹ方向に並んでいる。この射出側アパーチャー部材６は、入射側アパーチャー部材４と同様に、最大読取範囲とほぼ同じ長さだけＸ方向に延設されるとともに、複数の貫通孔６１がＸ方向に一列で並んでいる。これら複数の貫通孔６１は、複数の第２レンズＬＳ2に対して一対一で対応して設けられており、各貫通孔６１は対応する第２レンズＬＳ2の射出側アパーチャーとして機能する。また、光センサー７は、第２レンズＬＳ2から射出されて、射出側アパーチャー部材６を通過した光を検出することで、レンズアレイ５が結像した正立等倍像を読み取る。
【００２９】
このように、第１収容空間ＳＰ1においてライトガイド３１と光源３２とがＹ方向に並んで配置されるとともに、この第１収容空間ＳＰ1の下方にある左右空間ＳＰ2c（第２収容空間ＳＰ2）においてレンズアレイ５（の射出部５１c）と光センサー７とがＹ方向に並んで配置されている。また、これら第１収容空間ＳＰ1および左右空間ＳＰ2bのＹ方向の端では、第１収容空間ＳＰ1と左右空間ＳＰ2bとがＺ方向に連通している。そして、この連通部分に、第１収容空間ＳＰ1および左右空間ＳＰ2bをＺ方向に跨ぐプリント回路基板８が配置されている。
【００３０】
このプリント回路基板８には、光センサー７および光源３２が搭載されている。そして、光源３２は、プリント回路基板８から受け取った制御信号に基づいて発光するとともに、光センサー７は、読み取った画像に関連する信号をプリント回路基板８に受け渡す。
【００３１】
以上のように、この実施形態では、原稿ＯＢ（物体）からＺ方向（第１方向）に向かう光を原稿ＯＢのＺ方向に配置された反射膜５１１（反射面）がＺ方向に交差するＹ方向（第２方向）へ反射する。つまり、原稿ＯＢのＺ方向に配置された反射膜５１１が、原稿ＯＢからの光の向きをＺ方向からＹ方向へと変えている。また、反射膜５１１のＹ方向には射出部５１cが配置されており、この射出部５１c（に形成された第２レンズＬＳ2）が反射膜５１１で反射された光をＹ方向に向けて収束する。このように原稿ＯＢから反射膜５１１までＺ方向に進行した光を射出部５１cによりＹ方向に向けて収束する構成では、射出部５１cの原稿ＯＢ側にスペース（第１収容空間ＳＰ1）を作ることができる。そこで、この実施形態では、光源３２からの光を原稿ＯＢ（に光を照射する照射位置ＬＰ）に導光するライトガイド３１（導光部材）を、このスペースに配置している。したがって、光源３２の他にライトガイド３１を備えているにも拘わらず、画像読取装置１の小型化を図ることが可能となっている。
【００３２】
このように、レンズアレイ５の射出部５１cの原稿ＯＢ側に空いたスペースにライトガイド３１が配置されており、言わば、レンズアレイ５の射出部５１cとライトガイド３１がＺ方向に並んで配置されている。さらに、この実施形態では、このような配置が有する利点を次のよう活かして、画像読取装置１の小型化が図られている。つまり、レンズアレイ５は光センサー７に向けて正立等倍像を結像するものであり、ライトガイド３１は光源３２が射出した光を導くものである。したがって、レンズアレイ５およびライトガイド３１それぞれに対しては、光センサー７や光源３２を配置する必要がある。これに対して、レンズアレイ５およびライトガイド３１がＺ方向に並んで配置された構成では、レンズアレイ５およびライトガイド３１のＹ方向に光センサー７および光源３２の両方をまとめて配置することができる。そこで、この実施形態では、光センサー７およびライトガイド３１を、レンズアレイ５およびライトガイド３１のＹ方向に配置している。しかも、レンズアレイ５およびライトガイド３１のＹ方向にはプリント回路基板８が配置されており、光センサー７および光源３２はこの同一のプリント回路基板８に搭載されている。その結果、画像読取装置１の小型化を図ることが可能となっている。
【００３３】
以上のように上記実施形態では、Ｚ方向が本発明の「第１方向」に相当し、Ｙ方向が本発明の「第２方向」に相当する。また、画像読取装置１が本発明の「画像読取装置」に相当し、光源３２が本発明の「光源」に相当し、ライトガイド３１が本発明の「導光部材」に相当し、第１レンズＬＳ1、反射膜５１１および第２レンズＬＳ2からなる結像光学系が本発明の「結像光学系」に相当し、光センサー７が本発明の「光センサー」に相当し、プリント回路基板８が本発明の「基板」に相当する。また、入射部５１aが本発明の「入射部」に相当し、湾曲部５１bが本発明の「接続部」に相当し、射出部５１cが本発明の「射出部」に相当し、反射膜５１１が本発明の「反射面」に相当する。また、第１レンズＬＳ1が本発明の「入射レンズ」に相当し、第２レンズＬＳ2が本発明の「射出レンズ」に相当する。
【００３４】
なお、本発明は上記実施形態に限定されるものではなく、その趣旨を逸脱しない限りにおいて上述したものに対して種々の変更を加えることが可能である。例えば、上記実施形態では、導光部５１は、湾曲部５１bにおいてＺ方向からＹ方向に向けて直角に湾曲した形状を有していた（つまり、Ｙ方向が本発明の「第２方向」に相当していた）。しかしながら、導光部５１が湾曲する角度は９０°に限られず、例えば図４に示すよう構成することもできる。図４は、結像光学系の変形例を示す図である。図４に示す変形例が異なるのは結像光学系の構成のみであるので、ここでは、この差異点について説明し、共通部分については相当符号を付して説明を適宜省略する。また、図４の変形例が、上述の実施形態と共通する構成により同様の効果を奏することは言うまでも無い。
【００３５】
図４のレンズアレイ５では、導光部５１の湾曲部５１bは、Ｚ方向に９０°よりも小さい角度θw（＜９０°）で交差するＷ方向（第２方向）に湾曲しており、これに続く射出部５１cはＷ方向に延びた形状を有している。つまり、導光部５１は、入射部５１aから射出部５１cに到る湾曲部５１bにおいて、Ｘ方向からＷ方向に湾曲している。導光部５１の入射部５１aの上面には、上側に凸の複数の第１レンズがＸ方向に所定ピッチで一列に並んでいる。また、導光部５１の射出部５１cのＷ方向端面には、Ｗ方向に凸の複数の第２レンズがＸ方向に所定ピッチで一列に並んでいる。また、湾曲部５１bの外周面は全反射条件を満たす形状に仕上げられている。
【００３６】
レンズアレイ５がこのような構成を有しているため、第１レンズＬＳ1から入射した光は、湾曲部５１bの外周面でＷ方向に全反射されて、第２レンズＬＳ2にまで導かれる。第２レンズＬＳ2は、湾曲部５１bでの全反射光をＷ方向に収束する。こうして、第２レンズＬＳ2のＷ方向に原稿ＯＢの正立等倍像が結像される。そして、この正立等倍像が、第２レンズＬＳ2のＷ方向に配置された光センサー７によって読み取られる。
【００３７】
一方、レンズアレイ５の上側にはライトガイド３１が配置されるとともに、ライトガイド３１のＷ方向には光源３２が配置される。そして、光源３２から射出された光がライトガイド３１により導かれて、照射位置ＬＰに照射されることとなる。このように、図４の変形例では、原稿ＯＢから湾曲部５１bの外周面（反射面）までＺ方向に進行した光を、射出部５１cによりＷ方向に向けて収束するよう構成することで、射出部５１cの原稿ＯＢ側にスペースを作っている。そして、光源３２からの光を原稿ＯＢ（に光を照射する照射位置ＬＰ）に導光するライトガイド３１（導光部材）を、このスペースに配置している。これによって、光源３２の他にライトガイド３１を備えているにも拘わらず、画像読取装置１の小型化を図ることが可能となっている。
【００３８】
さらに、図４に示す変形例では、レンズアレイ５およびライトガイド３１のＷ方向に、光センサー７および光源３２の両方をまとめて配置するとともに、光センサー７および光源３２を、レンズアレイ５およびライトガイド３１のＷ方向に配置された同一のプリント回路基板８に搭載している。これによっても、画像読取装置１の小型化を図ることが可能となっている。
【００３９】
なお、以上に説明した実施形態では、反射膜５１１の表面は、湾曲した形状を有していた。しかしながら、例えば、導光部５１の湾曲部５１bの外周面を平面形状で仕上げた、ここに反射膜５１１を形成することで、反射膜５１１の形状を平面に形成しても良い。
【００４０】
また、反射膜５１１の形成方法も、上述した金属蒸着以外の方法を適宜採用可能である。
【００４１】
また、上述の第１・第２レンズＬＳ1、ＬＳ2の形状についても、非球面形状や自由曲面形状等の種々の形状を採用可能である。
【００４２】
また、上記実施形態では、第１レンズＬＳ1、反射膜５１１および第２レンズＬＳ2を透明媒体で一体形成したものを結像光学系として用いていた。しかしながら、図５に示すものに、結像光学系を変形することもできる。ここで、図５は、結像光学系の別の変形例を示す模式図である。図５に示す変形例が異なるのは結像光学系の構成のみであるので、ここでは、この差異点について説明し、共通部分については相当符号を付して説明を適宜省略する。また、図５の変形例が、上述の実施形態と共通する構成により同様の効果を奏することは言うまでも無い。
【００４３】
図５に示す変形例では、Ｙ方向に並ぶ４枚のレンズＬＳによって、射出部５１c（射出部）が構成されている。また、この射出部５１cと別体で構成された反射ミラー５１２が、原稿ＯＢのＺ方向に配置されている。そして、原稿ＯＢからＺ方向に向かう光は、反射ミラー５１２に直接入射するとともに、この反射ミラー５１２によってＹ方向へ向けて反射される。そして、射出部５１cを構成する４枚のレンズＬＳが協働して、反射ミラー５１２で反射された光をＹ方向に向けて収束させる。こうして、光センサー７に正立等倍像が結像される。なお、図５に示す４枚のレンズＬＳに変えて、屈折率分布型レンズを用いて、同様の機能を実現するように変形することもできる。
【符号の説明】
【００４４】
１…ＣＩＳモジュール（画像読取装置）、  ２…フレーム２、  ３…照明部、  ３１…ライトガイド（導光部材）、  ３２…光源、  ５…レンズアレイ、  ５１…導光部、  ５１a…入射部、  ５１b…湾曲部（接続部）、  ５１c…射出部、  ７…光センサー、  ８…プリント回路基板、  ＬＳ1…第１レンズ（入射レンズ）、  ＬＳ2…第２レンズ（射出レンズ）、  Ｚ…Ｚ方向（第１方向）、  Ｙ…Ｙ方向（第２方向）、  Ｗ…Ｗ方向（第２方向）
【図１】
0005891583.tif 000002
【図２】
0005891583.tif 000003
【図３】
0005891583.tif 000004
【図４】
0005891583.tif 000005
【図５】
0005891583.tif 000006